(57)【要約】【課題】  複数の端子を外部に露出させることを防いでその電蝕及び腐蝕による破損を確実に防止することができる電磁継電器を提供する。【解決手段】  ケーシング１１内に収納されたボビン３１に巻き回されたコイル３４の端末に接続されるコイル用端子３３と、固定接点２７に接続される負荷用端子２６，２９と、ケーシング１１に装着されたハウジング部に配策され、ヒューズ５０の端子部５１に接続される入力用端子２１及び出力用端子２２，２５とを備えた電磁継電器において、ハウジング部は、入力用端子２１を包囲し且つヒューズ５０を収納するヒューズハウジング部１４及び出力用端子２２，２５を包囲するコネクタハウジング部１５を有し、両ハウジング部１４，１５を、ケーシング１１に一体突出形成させてケーシング１１の一部を構成させ、各端子２１，２２，２５，２６，２９，３３の全てをケーシング１１の内側に配策した。【選択図】      図７
2006210014.tif 000002
【特許請求の範囲】
【請求項１】
内部の所定位置に固定接点を固定すると共に、該固定接点に接触、離反する可動接点を移動自在に配設したケーシングと、このケーシング内に収納され、中央部にコイル巻胴部を有したボビンと、このボビンのコイル巻胴部に巻き回されたコイルと、このコイルの端末に接続されるコイル用端子と、前記固定接点に接続される負荷用端子と、前記ケーシングに装着されたハウジング部に配策され、ヒューズの端子部に接続される入力用端子と、該ハウジング部に配策される出力用端子と、を備えた電磁継電器において、
前記ハウジング部は、前記入力用端子を包囲し且つ前記ヒューズを収納するヒューズハウジング部及び前記出力用端子を包囲するコネクタハウジング部を有し、このヒューズハウジング部とコネクタハウジング部を、それぞれ前記ケーシングに一体突出形成させて該ケーシングの一部を構成させ、
前記コイル用端子、負荷用端子、入力用端子、出力用端子の全ての端子を前記ケーシングの内側にそれぞれ配策したことを特徴とする電磁継電器。
【請求項２】
請求項１記載の電磁継電器であって、
前記入力用端子を端子本体の一端側に、前記負荷用端子を該端子本体の他端側に、それぞれ折り曲げ形成したことを特徴とする電磁継電器。
【発明の詳細な説明】
【技術分野】
【０００１】
本発明は、ヒューズを備えた電磁継電器に関する。
【背景技術】
【０００２】
この種のヒューズを備えた電磁スイッチ（電磁継電器）として、図１７に示すものがある（例えば、特許文献１参照。）。
【０００３】
この電磁スイッチ１は、図１７に示すように、そのケース２の上面に一対のコイル接続端子３，３及び一対の固定接点部材４，４を垂直にそれぞれ配置してある。
【０００４】
そして、この電磁スイッチ１の一対の固定接点部材４，４には、ブレードヒューズ５を装着するケース６の一対の取付端子７，７及び一対の電源ケーブル８の各圧着端子８ａをワッシャ９Ａを介してナット９により締結固定してある。
【０００５】
【特許文献１】実公昭６３−１７１５５号公報（第１２図）
【発明の開示】
【発明が解決しようとする課題】
【０００６】
しかしながら、前記従来の電磁スイッチ１では、一対のコイル用接続端子３，３がケース２より外側に大きく露出していると共に、一対の取付端子７，７がケース６より外側に大きく露出しているため、各端子３，７が電気的イオン化により電蝕したり、水に濡れて腐蝕して破損し易かった。
【０００７】
そこで、本発明は、前記した課題を解決すべくなされたものであり、複数の端子を外部に露出させることを防いでその電蝕及び腐蝕による破損を確実に防止することができる電磁継電器を提供することを目的とする。
【課題を解決するための手段】
【０００８】
請求項１の発明は、内部の所定位置に固定接点を固定すると共に、該固定接点に接触、離反する可動接点を移動自在に配設したケーシングと、このケーシング内に収納され、中央部にコイル巻胴部を有したボビンと、このボビンのコイル巻胴部に巻き回されたコイルと、このコイルの端末に接続されるコイル用端子と、前記固定接点に接続される負荷用端子と、前記ケーシングに装着されたハウジング部に配策され、ヒューズの端子部に接続される入力用端子と、該ハウジング部に配策される出力用端子と、を備えた電磁継電器において、前記ハウジング部は、前記入力用端子を包囲し且つ前記ヒューズを収納するヒューズハウジング部及び前記出力用端子を包囲するコネクタハウジング部を有し、このヒューズハウジング部とコネクタハウジング部を、それぞれ前記ケーシングに一体突出形成させて該ケーシングの一部を構成させ、前記コイル用端子、負荷用端子、入力用端子、出力用端子の全ての端子を前記ケーシングの内側にそれぞれ配策したことを特徴とする。
【０００９】
請求項２の発明は、請求項１記載の電磁継電器であって、前記入力用端子を端子本体の一端側に、前記負荷用端子を該端子本体の他端側に、それぞれ折り曲げ形成したことを特徴とする。
【発明の効果】
【００１０】
以上説明したように、請求項１の発明によれば、コイル用端子と負荷用端子と入力用端子及び出力用端子の各端子の全てをケーシングの内側にそれぞれ配索したことにより、各端子をケーシングの外側に露出することを防止することができる。これにより、各端子の電蝕及び腐蝕による破損を確実に防止することができる
【００１１】
請求項２の発明によれば、端子本体の一端側に入力用端子を折り曲げ形成すると共に、該端子本体の他端側に負荷用端子を折り曲げ形成したことにより、端子本体の両端に入力用端子と負荷用端子の各端子を形成することができ、その分、部品点数を削減して低コスト化を図ることができる。
【発明を実施するための最良の形態】
【００１２】
以下、本発明の一実施形態を図面に基づいて説明する。
【００１３】
図１は本発明の一実施形態の電磁継電器を示す斜視図、図２は同電磁継電器の断面図、図３は同電磁継電器の平面図、図４は図３中Ｘ−Ｘ線に沿う断面図、図５は同電磁継電器のケーシングの内部を示す斜視図、図６は同ケーシングを一方のヒューズ用端子に沿って切断した断面図、図７は同ケーシングを他方のヒューズ用端子に沿って切断した断面図、図８は同電磁継電器の電磁リレーユニットを正面側から見た斜視図、図９は同電磁リレーユニットを左コーナ部側から見た斜視図、図１０は同電磁リレーユニットを右側から見た斜視図、図１１は同電磁リレーユニットを後側から見た斜視図、図１２は同電磁継電器のボビンの斜視図、図１３は同ボビンの正面図、図１４は同ボビンの側面図、図１５は同ボビンの平面図、図１６は同ボビンの素子収納箱の拡大断面図である。
【００１４】
図１〜図１１に示すように、電磁継電器（リレー）１０は、底面側に開口部１２を有した箱形で合成樹脂製のケーシング（ベース）１１と、このケーシング１１の開口部１２にゴム製で環状のシール材１８を介して嵌め込まれるベースカバー１９と、ケーシング１１の天井壁１３の内面１３ａの中央に形成された凹部１３ｂに配索される一方のヒューズ用端子２０と、ケーシング１１の天井壁１３の内面１３ａの一方のコーナ部に形成されたボス部１３ｃに係止され、一方のヒューズ用端子２０と所定クリアランスを有して交叉するように配索された他方のヒューズ用端子２４と、ケーシング１１の天井壁１３の内面１３ａの他方のコーナ部に形成されたボス部１３ｄに係止され、他方のヒューズ用端子２４と平行になるように配索されたコ字状の負荷（電源）用端子２９と、ベースカバー１９上の周壁１９ａ内に組み込まれてケーシング１１内に収納される電磁リレーユニット３０とを備えている。
【００１５】
図５〜図１１に示すように、一方のヒューズ用端子２０は、端子本体２０ａの一端２０ｂ側に入力用端子２１を折り曲げ形成してあると共に、該端子本体２０ａの他端２０ｃ側に一対の出力用端子２２，２２を折り曲げ形成してある。この入力用端子２１はケーシング１１の天井壁１３の外面１３ｅに一体突出形成され、該ケーシング１１の一部を構成するヒューズハウジング部（ハウジング部）１４内に突出しており、該ヒューズハウジング部１４に包囲されている。このヒューズハウジング部１４内に突出した入力用端子２１には中継端子２３を介してヒューズ５０の一対の端子部５１，５１の一方が接続されるようになっている。また、一対の出力用端子２２，２２はケーシング１１の天井壁１３の外面１３ｅに一体突出形成され、該ケーシング１１の一部を構成するコネクタハウジング部（ハウジング部）１５内に突出しており、該コネクタハウジング部１５に包囲されている。
【００１６】
図５、図７及び図９〜図１１に示すように、他方のヒューズ用端子２４は、端子本体２４ａの一端２４ｂ側に入力用端子２５を折り曲げ形成してあると共に、該端子本体２４ａの他端２４ｃ側にコ字状の負荷（電源）用端子２６を折り曲げ形成してある。この入力用端子２５はケーシング１１の天井壁１３の外面１３ｅに一体突出形成されたヒューズハウジング部１４内に突出しており、該ヒューズハウジング部１４に包囲されている。このヒューズハウジング部１４内に突出した入力用端子２５には中継端子２３を介してヒューズ５０の一対の端子部５１，５１の他方が接続されるようになっている。また、図２、図４に示すように、コ字状の負荷用端子２６の下片部２６ａはケーシング１１の天井壁１３の内面１３ａに当接していると共に、該下片部２６ａに形成された丸孔２６ｂには固定接点２７を嵌め込み固定してある。さらに、コ字状の負荷用端子２６の上片部２６ｃはケーシング１１の天井壁１３の外面１３ｅに露出していると共に、該上片部２６ｃに形成された丸孔２６ｄの下面には六角形のボルト２８が嵌め込まれている。
【００１７】
また、図２〜図５に示すように、コ字状の負荷用端子２９の下片部２９ａはケーシング１１の天井壁１３の内面１３ａに当接していると共に、該下片部２９ａに形成された丸孔２９ｂには固定接点２７を嵌め込み固定してある。さらに、コ字状の負荷用端子２９の上片部２９ｃはケーシング１１の天井壁１３の外面１３ｅに露出していると共に、該上片部２９ｃに形成された丸孔２９ｄの下面には六角形のボルト２８が嵌め込まれている。これら各負荷用端子２６，２９の各下片部２６ａ，２９ａと、入力用端子２１と一対の出力用端子２２を構成する端子本体２０ａ、及び、後述するコイル用端子３３の各端子の全ては、ケーシング１１の天井壁１３の内面１３ａ側にそれぞれ配索されている。
【００１８】
図２及び図８〜図１２に示すように、電磁リレーユニット３０は、上下のフランジ部３１ａ，３１ｂの中央部に円筒状のコイル巻胴部３１ｃを一体形成すると共に、上フランジ部３１ａのブロック状の側部３１ｄの前部に一対の端子取付部３１ｅ，３１ｅを一体形成した合成樹脂製のボビン３１と、このボビン３１のコイル巻胴部３１ｃに巻き回されると共に、両端末を該ボビン３１の一対の端子取付部３１ｅ，３１ｅに取り付けられた一対のコイル用端子３３，３３の各電線加締め部３３ａに接続したコイル３４と、ベースカバー１９の周壁１９ａ間の凹部１９ｂ内に嵌め込まれると共に、ボビン３１の底面に沿うように折り曲げられてケーシング１１の天井壁１３の内面１３ａに形成された一対の凹部１３ｆ，１３ｆに先端部３５ａが嵌め込まれるコ字状のフレーム３５と、このフレーム３５の両側部３５ｂ，３５ｂ間に介在されると共に、ボビン３１の上フランジ部３１ａの中央の凹部に嵌め込まれるフランジ受板３６と、ボビン３１の円筒状のコイル巻胴部３１ｃ内に戻り圧縮スプリング（リターンスプリング）３７を介して出没自在に配置されたプランジャ３８と、このプランジャ３８の小径上部３８ａとケーシング１１の天井壁１３の内面１３ａの略中央に形成された凹部１３ｇに介在された圧縮スプリング３９との間に介在され、両側に可動接点４０，４０を固着した可動板（接触子）４１とで構成されている。
【００１９】
図２に示すように、コ字状のフレーム３５の底部３５ｃの中央には円柱状のコア部３５ｄを突設してあり、このコア部３５ｄがボビン３１の円筒状のコイル巻胴部３１ｃ内の下側に嵌め込まれている。そして、コ字状のフレーム３５と該フレーム３５の両側３５ｂ，３５ｂ間に掛け渡されたフランジ受板３６とで磁路が形成されるようになっている。
【００２０】
図２、図８に示すように、プランジャ３８は小径上部３８ａと大径下部３８ｃとの間に円板状のフランジ部３８ｂを一体形成してあり、このプランジャ３８の大径下部３８ｃはボビン３１の円筒状のコイル巻胴部３１ｃ内の上側に摺動自在に支持されている。また、戻り圧縮スプリング３７の圧縮力（付勢力）は圧縮スプリング３９の圧縮力（付勢力）よりも強くなっている。これら各圧縮スプリング３７，３９の付勢力の差により、コイル３４に励磁電流が通電されないときは可動板４１の一対の可動接点４０，４０と一対の固定接点２７，２７は離反しており、コイル３４に励磁電流が通電されたときは、プランジャ３８のフランジ部３８ｂがフランジ受板３６に吸着されて可動板４１が下方へ移動し、一対の可動接点４０，４０が一対の固定接点２７，２７に接触するようになっている。
【００２１】
図８〜図１６に示すように、ボビン３１の上フランジ部３１ａのブロック状の側部３１ｄには四角筒状の素子収納箱３２を一体形成してあり、該素子収納箱３２の後側開口部３２ａよりバリスタ（サージ吸収素子）４５のバリスタ本体（素子本体）４５ａを収納自在にしてある。また、図１０、図１２、図１３に示すように、素子収納箱３２の側壁３２には、所定の間隔を存してバリスタ４５のリード部４５ｂ側の前側開口部３２ｅに至る一対のスリット３２ｃ，３２ｃを穿設して弾性を有する素子押さえ部３２ｄを形成してあり、この素子押さえ部３２ｄによりバリスタ４５のバリスタ本体４５ａを弾性的に保持している。そして、素子収納箱３２の前側開口部３２ｅより外に露出したバリスタ４５の一対のリード部４５ｂ，４５ｂは一対のコイル用端子３３，３３に一体形成した各圧接刃３３ｂにそれぞれ圧接されている。
【００２２】
尚、図１、図３、図６に示すように、ケーシング１１のヒューズハウジング部１４にはスペアヒューズ５０′を収納するスペア収納凹部１４ａを形成してある。このスペアヒューズ５０′は図８〜図１１にのみ図示されている。
【００２３】
以上実施形態の電磁継電器１０によれば、図５〜図７に示すように、一方のヒューズ用端子２０の入力用端子２１と一対の出力用端子２２，２２の本体を構成する端子本体２０ａと、他方のヒューズ用端子２４の負荷用端子２６の下片部２６ａと、負荷用端子２９の下片部２９ａと、及び、一対のコイル用端子３３，３３の各端子２０，２４，２９，３３の全てをケーシング１１の天井壁１３の内面１３ａ側にそれぞれ配索したことにより、各端子２０，２４，２９，３３がケーシング１１の外側に露出するのを可及的に防止することができる。これにより、各端子２０，２４，２９，３３の電蝕及び腐蝕による切断等の破損を確実に防止することができる。また、ケーシング１１の一部を構成するヒューズハウジング部１４により入力用端子２１，２５を包囲すると共に、ケーシング１１の一部を構成するコネクタハウジング部１５により一対の出力用端子２２，２２を包囲しているので、該入力用端子２１，２５と一対の出力用端子２２，２２の電蝕及び腐蝕による破損を防止することができる。
【００２４】
また、他方のヒューズ用端子２４の端子本体２４ａの一端２４ｂ側に入力用端２５を折り曲げ形成すると共に、該端子本体２４ａの他端２４ｃ側に負荷用端子２６を折り曲げ形成したことにより、端子本体２４ａの両端２４ｂ，２４ｃに入力用端子２５と負荷用端子２６の各端子を形成することができ、その分、部品点数を削減して低コスト化を図ることができる。
【００２５】
尚、前記実施形態によれば、サージ吸収素子としてバリスタ（サイズの大きいサージアブソーバ）を用いたが、抵抗やダイオード等の他のサージ吸収素子を用いても良いことは勿論である。
【図面の簡単な説明】
【００２６】
【図１】本発明の一実施形態の電磁継電器を示す斜視図である。
【図２】上記電磁継電器の断面図である。
【図３】上記電磁継電器の平面図である。
【図４】図３中Ｘ−Ｘ線に沿う断面図である。
【図５】上記電磁継電器のケーシングの内部を示す斜視図である。
【図６】上記ケーシングを一方のヒューズ用端子に沿って切断した断面図である。
【図７】上記ケーシングを他方のヒューズ用端子に沿って切断した断面図である。
【図８】上記電磁継電器の電磁リレーユニットを正面側から見た斜視図である。
【図９】上記電磁リレーユニットを左コーナ部側から見た斜視図である。
【図１０】上記電磁リレーユニットを右側から見た斜視図である。
【図１１】上記電磁リレーユニットを後側から見た斜視図である。
【図１２】上記電磁継電器のボビンの斜視図である。
【図１３】上記ボビンの正面図である。
【図１４】上記ボビンの側面図である。
【図１５】上記ボビンの平面図である。
【図１６】上記ボビンの素子収納箱の拡大断面図である。
【図１７】従来の電磁スイッチの分解斜視図である。
【符号の説明】
【００２７】
１０  電磁継電器
１１  ケーシング
１４  ヒューズハウジング部（ケーシング）
１５  コネクタハウジング部（ケーシング）
２０  ヒューズ用端子
２１  入力用端子
２２  出力用端子
２４  ヒューズ用端子
２４ａ  端子本体
２４ｂ  一端
２４ｃ  他端
２５  入力用端子
２６  負荷用端子
２７  固定接点
２９  負荷用端子
３１  ボビン
３１ｃ  コイル巻胴部
３３  コイル用端子
３４  コイル
４０  可動接点
５０  ヒューズ
５１  端子部
【図１】
2006210014.tif 000003
【図２】
2006210014.tif 000004
【図３】
2006210014.tif 000005
【図４】
2006210014.tif 000006
【図５】
2006210014.tif 000007
【図６】
2006210014.tif 000008
【図７】
2006210014.tif 000009
【図８】
2006210014.tif 000010
【図９】
2006210014.tif 000011
【図１０】
2006210014.tif 000012
【図１１】
2006210014.tif 000013
【図１２】
2006210014.tif 000014
【図１３】
2006210014.tif 000015
【図１４】
2006210014.tif 000016
【図１５】
2006210014.tif 000017
【図１６】
2006210014.tif 000018
【図１７】
2006210014.tif 000019